(57)【特許請求の範囲】
【請求項１】
断面形状、コの字形を成せるカバー体を備え、該カバー体の前面中央、該対象物側に左右一対のアームを内角、略90度に設定、其々のアーム間に適切な間隔を設け、逆さハの字状に配設、尚、該カバー体との間に、該アームの高さに相当する空間を確保して成り且つ、該一対のアームの内側表面、即ち、該対象物、当接部は2層構造から成り下層には弾性体を装着、上層には不滑剤を具備して成ることを特徴とする梯子固定器具。
【請求項２】
前項一対のアーム先端に弾性体部材を成形装着、且つ該対象物
当接面に不滑剤を具備して成ることを特徴とする請求項１に記載の梯子固定器具。
【発明の詳細な説明】
【技術分野】
【０００１】
この発明は梯子による円柱体、或いは樹木枝打ち等の上部における作業の安全および作業性の向上と昇降時の梯子の不安定な状態に起因する作業者の墜落事故防止、及び建築物の屋根、出隅、壁面にも対応、該梯子のスリップ、転倒を防止するものである。
【背景技術】
【０００２】
円柱上或いは樹木の枝打ち等、そのままの状態で梯子を立て掛けて作業を行う場合、梯子の踏み桟と円柱或いは樹木等との接点は極めて狭く梯子の上部に於ける作業あるいは昇降時の動作についても非常に不安定、且つ危険であった。
【０００３】
以下、課題対策資料として先行技術調査報告による対象文献を掲載する。
【特許文献１】特開2006−132298
【特許文献２】特開2002−147154
【特許文献３】特開2001−159286
【特許文献４】実開H06ー  71897
【特許文献５】実用新案登録第3073358
【特許文献６】特開2004−332335
【特許文献７】特開2006−104858
【特許文献８】特開2002―121985
【発明の開示】
【発明が解決しようとする課題】
【０００４】
前項目、（特許文献7）を除き（3〜８）については参考文献であり当該器具、梯子  固定器具（以下、当該器具、と記載）の請求項に抵触する部分が低いと思われるので課  題検証を割愛する。尚（特許文献7）は自己が開発した円柱体用梯子固定装置（平成16  年10月8日出願、平成20年2月22日特許第4083726号）にて認可された装置で該梯子に装着する機構を当該器具の該梯子に装着する機構に踏襲している。
【０００５】
個々の課題について望むならば
・通常対象となる該円柱体等に正確にフィットし該梯子が確実に固定されること。
・該対象物が円柱体等に限らず建築物等にも対応できること。
・機構が簡単、尚、着脱が容易、軽量であり併せて耐久性も備え持っていること。
・取扱いが簡単であること。
・該梯子、脚立が汎用性であり他の作業にも共用できること。
・保守管理が容易であること。
・価格が適切であること。
【０００６】
先行技術調査報告（特許文献１）の場合、安全作業器具としての形態は類似（アームの形状が鉤、又はＶ形に）しているものの請求項１に関して言うならば第１に該器具の着脱が簡単であると謳ってはいるがボルトによる固定式であること、従って該器具の着脱の場合、工具と時間を必要とし装着状態の侭に成り易く、該梯子の共用性に欠けることになる。請求項２については該梯子側に取り付ける部品と柱側に取り付ける部品間にボルトを挿入し上下に可動することによって柱面に垂直に接する様にしたとあるが、この事案については自己が開発した円柱用梯子固定装置、前項（０００４）に於いて記載の当該器具であり、又該器具アタッチメントは、当方が最初の出願後約、1ヶ月後（平成16年11月9日）に出願した類似文献であり請求項には値しない文献である。請求項３については該対象物への当接部に滑り止めラバーを張るとあるが該明細書の  文中にも具体的効果、且つ材質、形状等が記載されておらず比較検証が出来ない。
先行技術調査報告（特許文献２）の場合
該対象物が建築構造物角柱に限定され又、梯子の設置状態も建築構造物、角柱に垂直状  に当接され使用形態も異なり又、該アームの形状もＶ形で当該器具（逆さハの字状）と  は使用目的及び形状も異なるので比較検証は割愛する。
【課題を解決するための手段】
【０００７】
先行技術調査報告（特許文献１）に於いて該請求項１の内容によれば、該アタッチメントの着脱は簡単としているが、ボルト等で固定され着脱には必ず工具を必要とする。当方の発明は手段として当該器具を該梯子に装着（当該器具の梯子への装着機構については既に自己が開発した円柱用梯子固定装置に採用され、無工具にて短時間、且つ確実に着脱できる機構を踏襲、明細書の段落（０００４）参照）するための機能を具備する。
【０００８】
該対象物への当接手段については当該器具の断面形状不等辺コの字形カバー体前面中央（該対象物側）に一対のアーム（2等辺コの字形）を左右内角、略90度に設定、母体であるカバー体の前面中央に逆さハの字形に且つ間隔を数ｃｍ置いて定着することにより必然的に該対象物、小径鋼管柱等に布設された電線、配管等を収容できるスペースが生まれる。
【０００９】
該対象物に当接する一対のアームの内側表面は2層からなり上層表面にはシリコン系不滑剤を貼着、下層には当該器具の使用条件に対応する板厚の弾性部材を装着して成る。
【００１０】
該アーム先端下部には成形された樹脂製硬質弾性部材によるパッドを具備、且つ該対象物（屋根、出隅、建築物壁面）当接面に樹脂性不滑剤を貼着、処理して成る。
【発明の効果】
【００１１】
当該器具、母体であるカバー体の前面に一対の逆さハの字形を成す2等辺コの字形アームの内側表面に具備された2層からなる下層には樹脂製弾性部材の柔軟性と其の上層に貼着されたシリコン系不滑剤の効果により作業者が梯子の上方に昇るほど其の圧力で該円柱体がアームの樹脂製弾性部材に沈み込み、当接面が拡大し尚一層、不滑効果が増大する。特に鋼管柱の場合、表面が滑らかな程シリコン効果が顕著となり不動性に優れるので該梯子が回動、又は捩れることは皆無と言って良い。
（請求項1,2に該当）
【００１２】
前項目に記載のように逆さハの字形に装着された一対の2等辺アームとその表面に装着、及び貼着された2層から成る当接部材が該円柱体の場合、外形の大小に係らず又、該梯子の設置角度の違いによる該円柱体に当接する部分の傾斜角の変化を下層、弾性部材が適切な板厚の沈み効果により該円柱体への当接面を拡大し上層のシリコン不滑剤との相乗効果により該円柱体を確実に補足固定する。
【００１３】
当該器具のアームの形状効果について
当該器具の本体、断面形状、不等辺コの字形カバー体の前面、中央部分に逆さハの字状  に配設された一対の2等辺アームに於いて其の根元定着部分の間隔を数ｃｍ空けることにより該対象物、円柱体の表面に配管、電線等の布設物が存在する場合このスペースに収容でき又、アームの内角が略９０度であることから建造物の出隅にも対応でき、且つ左右アームの先端にパッドを具備することにより建築物等の屋根（雨樋架けを含む）、壁面（該梯子と壁面間に距離を置き作業性の向上を図る）等にも対応マルチ的に利用できる。
【００１４】
本発明は技術分野、明細書の段落（０００１）に記す如く当初の目的効果を落とすことなく機構の簡単、軽量化を具体化したことにより現在、汎用化されている大多数の梯子、脚立に幅広く対応し、極めて短時間且つ確実に着脱を可能にした結果、梯子自体が円柱体又は建築物専用とならず本来の使用目的としても共用できることにある。
【００１５】
次に当該器具を該円柱体等に当接（圧接）するだけで目的効果が叶う理由は該梯子の上部付近で作業をする場合、作業者は必ず安全帯を身体に着用することを義務付けられている。（労働安全衛生法）これにより作業者は該対象物、円柱体等に該梯子共々抱持され梯子自体が作業人共々後方又は左右方向に移動転倒することは有り得ない。従って作業人から見て前方、つまり該対象物、円柱体等の後ろ側まで抱持する機構を当該器具に具備し複雑化することで重量増加を招き又、製造コストを上げる必要はない。尚、作業者が該梯子上部に於いて作業上、体形を大きく移動する必要ある場合は別に用意（該商品には備品として同梱）したロープで該梯子と該対象物を緊縛すればよいことで、この対応により完璧な安全作業ができる。概して手間の掛かることでもなく又コストを問題視することも無い。
課題は作業者が梯子の昇降時、又は上部に於ける作業が非常に不安定であることから過去に於いて安全作業の為の器具、装置が種々考案され又、出願されたが明細書の段落（０００５）の内容不備により商品化されることは稀となった。
【発明を実施するための最良の形態】
【００１６】
以下本発明の実施の形態に付いて図面により説明する。
（１）は梯子の最上段踏み桟に装着する部分で、材質は軽量化のため軽金属を使用、断面を不等辺コ野字形に成形加工されカバー体を成している。（２）は主題目的の該対象物である円柱体等に当接する一対から成る2等辺アームで（１）のカバー体の前面中央部に左右内角、略９０度を成し数ｃｍの間隔をおいてハの字状に且つ前方向（該対象物側）に向けて定着されている。（３）はアーム支柱で対象物負荷の増大に対する補強で母体であるカバー体と左右アーム間に定着されている。（４）は合成樹脂性弾性部材で左右アームの内側表面に直接装着されている。（５）は前項（４）の上層にシリコン系不滑剤を貼着している。（６）〜（１６）は当該器具を該梯子に装着するための機構で自己開発により本年、（明細書の段落（０００４）参照）2月に特許認可された円柱用梯子固定装置に具備している機構を踏襲している。（17）は該対象となる建築物（雨どい架け屋根等、出隅、壁面）に対応当接するパッドで樹脂製弾性部材を成形、該左右のアームの先端下部に装着している。
【図面の簡単な説明】
【００１７】
【図１】本発明品の上面からの斜視図である。
【図２】本発明品を建造物の出隅に当接した上面図である。
【図３】本発明品を円柱体に当接した上面図である。
【図４】本発明品の前面図である。
【図５】本発明品の背面図である。
【図６】本発明品のアームの詳細図である。
【図７】本発明品の実施右側面図である。
【図８】本発明品のアームを該円柱体に当接する部材の実施中の形状（右アーム）            を示す。（左右対称）
【図９】本発明品を該建築物の屋根に当接した場合の右側面図である。（左右対称）
【符号の説明】
【００１８】
１  断面形状不等辺コの字形カバー体
２  断面形状2等辺コの字形アーム
３  アーム支柱
４  樹脂製弾性体部材
５  シリコン系不滑剤
６  蝶番
７  Ｌ形金具
８  尾錠
９  引っ掛けリング
１０  引っ掛けリング受け
１１  引っ掛けリング受け台座
１２  セットボルト
１３  把手固定ナット
１４  セットボルト送りナット
１５  把手
１６  器具固定スリップリング
１７  パッド
Ｐｏ  円柱体、又は樹木等
Ｌａ  梯子
Ｓｔ  梯子踏み桟
【図１】
0004288684.tif 000002
【図２】
0004288684.tif 000003
【図３】
0004288684.tif 000004
【図４】
0004288684.tif 000005
【図５】
0004288684.tif 000006
【図６】
0004288684.tif 000007
【図７】
0004288684.tif 000008
【図８】
0004288684.tif 000009
【図９】
0004288684.tif 000010